(57)【要約】      （修正有）【課題】把持部を二重に形成することで扇ぎ面と柄との接続部分の強度を確保し、さらに把持部を握りやすく工夫することで製造コストを最小限に抑えた団扇を提供する。【解決手段】扇ぎ面である団扇本体１０と把持部２０を備えた団扇１００であって、把持部は、団扇本体から連続して延設された軸片２１と軸片に折曲線を介して連設された補強片２２とを重ね合わせることで形成され、把持部の周縁には持ちやすさを考慮した溝が形成されている。【選択図】図２
0003211506.tif 000002
【実用新案登録請求の範囲】
【請求項１】
扇ぎ面である団扇本体と把持部を備えた団扇であって、前記把持部は、前記団扇本体から連続して延設された軸片と前記軸片に折曲線を介して連設された補強片とを重ね合わせることで形成され、前記把持部の周縁には持ちやすさを考慮した溝が形成されていることを特徴とする団扇。
【請求項２】
前記把持部の周縁は手の複数の指が係止する波形状に形成されていることを特徴とする請求項１記載の団扇。
【請求項３】
前記把持部は手で把持しやすくする樽形状の部分と手の平のずれを防止する下端側係止部とが形成されていることを特徴とする請求項１記載の団扇。
【請求項４】
前記軸片の内側面周縁には、前記補強片の外側面周縁と同じ模様および色彩である縁取りが施され、前記補強片の内側面周縁には、前記軸片の外側面周縁と同じ模様および色彩である縁取りが施され、前記軸片と前記補強片の内側面を重ね合わせた場合に前記軸片と前記補強片の周縁のずれが目立たないように形成されていることを特徴とする請求項１から３のいずれか一項記載の団扇。
【請求項５】
一枚の所定の大きさの用紙に前記団扇本体と前記軸片と前記補強片とが連続的に設けられ、前記補強片は、前記軸片の下端から前記折曲線を介して連設されていることを特徴とする請求項１から４のいずれか一項記載の団扇。
【請求項６】
一枚の所定の大きさの用紙に前記団扇本体と前記軸片と前記補強片とが連続的に設けられ、前記補強片は、前記軸片の左縁もしくは右縁から前記折曲線を介して連設されていることを特徴とする請求項１から４のいずれか一項記載の団扇。
【請求項７】
前記軸片と前記補強片を接着するに際して、前記縁取りの内側に接着剤を施して接着することを特徴とする請求項１から６のいずれか一項記載の団扇。
【考案の詳細な説明】
【技術分野】
【０００１】
本考案は、１枚の平板を折り曲げることで形成される団扇であって、補強するために把持部を二重に形成した団扇に関する。
【背景技術】
【０００２】
団扇は、下部に備えられた柄を握り、楕円状の扇ぎ面を揺動させることによって風を発生させるものであって、野球場や遊園地等、最近は特に野外で使用されている。
従来、団扇は竹や合成樹脂の骨に紙や布等を貼着することで形成されていた。しかし近年は、街頭やスポーツ、お祭り等において配布される広告宣伝用の販売促進品として使用されることが多くなったため、予め宣伝広告等の印刷を施した平板を切り抜いて折り曲げることで製造できる団扇が開発された。
しかしながら、全体を厚紙等の平板で形成した団扇は、柄を握って扇ぎ面を強く扇ぐと、扇ぎ面と柄との接続部分に集中してかかる負荷に耐えられず、扇ぎ面と柄との接続部分で団扇が折れてしまい、破損してしまう。
そこで、全体を厚紙等で形成しても強度を確保することが可能な団扇が開発されている。
【０００３】
例えば特許文献１は、紙製うちわに関するもので、円形状に形成された扇ぎ面２０と実質的に等しい形状の二枚重ねの板紙から形成された柄３０から構成され、柄３０の二枚の接続部３２、３２の間に扇ぎ面２０の基部が挟み込まれて接着剤等で相互に接着されて、柄３０を手で持って扇ぐと、柄３０の揺らし力は扇ぎ面２０に伝わるが、その際、柄３０の接続部３２の両側縁が円弧凹状をなし、先端縁が円弧凸状をなしているので、柄３０の接続部３２で均等に分散され、接続部３２の先端縁に垂直な方向に伝搬して扇ぎ面２０に均等に伝わる（その段落００２７−００３１）ことが記載されている。
また特許文献２は、補強段付き紙うちわに関するもので、平板３へ波状補強段４を有するシートを打ち抜き、折り曲げ、接着する事によって製造するうちわであり、扇ぎ葉１を設け、扇ぎ葉１の下部中央を下へ突出させて柄２を設け、柄２の横幅は片手で握れる程度とし、柄２の両側へ谷折り線を介して補強板を設けた（その段落０００６）ことが記載されている。
【先行技術文献】
【特許文献】
【０００４】
【特許文献１】特開２００３−０７０５１５号公報
【特許文献２】特開平０９−０００３２８号公報
【考案の概要】
【考案が解決しようとする課題】
【０００５】
団扇を製造する製造工程においては、予め厚紙等の平板に印刷機により宣伝広告等の印刷を施し（ステップ１：印刷工程）、その後印刷した団扇用の平板を切り抜き（ステップ２：切抜工程）、柄の箇所を折り曲げ線に沿って折り曲げて柄の内側を接着剤等の接着部材で接着する（ステップ３：接着工程）ことで、柄を二重に形成する。
印刷工程であるが、印刷機によって印刷可能な平板の最大規定サイズが決まっているため、規定のサイズに収まるように平板に団扇の展開図を印刷する。具体的には、印刷可能な平板の規定サイズに団扇の展開図を複数配置し、使用されない余白を最小限にするようにレイアウトを行い印刷する。
しかしながら、特許文献１，２のように扇ぎ面と柄との接続部分の強度を確保するために団扇の柄を二重にする場合、団扇の展開図が大きくなって平板の最大規定サイズに収まりきらない等の問題や、団扇の展開図を規定サイズに収まるように配置したとしても１枚の平板に配置できる団扇の数が少なくなって余白が過剰に発生し、製造コストがかかる等の問題が発生した。
また接着工程においては、団扇の柄を二重にする場合、柄の軸となる軸片と柄を補強するための補強片を重ね合わせることが行われるが、切抜工程における位置ずれ等の問題により軸片のサイズと補強片のサイズが合わず、軸片と補強片が正確に重なり合わないために団扇の美観性が損なわれるといった問題が発生した。
【０００６】
そこで本考案の目的は、把持部（柄）を二重に形成することで扇ぎ面と柄との接続部分の強度を確保し、さらに把持部を握りやすく工夫することで製造コストを最小限に抑えた団扇を提供することを目的とする。
また本考案の目的は、把持部を二重に形成する際に軸片と補強片が正確に重なり合わない場合であっても把持部の周縁の美観性を保つことが可能な団扇を提供することを目的とする。
【課題を解決するための手段】
【０００７】
本考案は、扇ぎ面である団扇本体と把持部を備えた団扇であって、前記把持部は、前記団扇本体から連続して延設された軸片と前記軸片に折曲線を介して連設された補強片とを重ね合わせることで形成され、前記把持部の周縁には持ちやすさを考慮した溝が形成されていることを特徴とする。
本考案は、印刷工程において、把持部を二重にする場合には把持部の長さを短くすることで団扇の展開図のサイズを小さくし、平板の最大規定サイズに団扇の展開図が収まるように配置する。その場合、把持部が短くなることによって懸念される持ちにくさの問題を解消するために、把持部の周縁に指を配置するための溝を形成したものである。
このように把持部の周縁に溝を形成することで、把持部の長さが短くても把持部を確実に握ることが可能となり、扇ぎやすくかつ製造コストが最小限の団扇を提供することが可能となる。
【０００８】
本考案の団扇は、把持部の周縁は手の複数の指が係止する波形状に形成されていることを特徴とする。
本考案によれば、把持部の周縁には持ちやすさを考慮した円弧状の溝が形成され、溝により左右の縁は波形状に形成されている。把持部を握った際に溝に指が入るように設計されているため、把持部の長さがたとえ短くても溝によって把持部が握りやすくかつ把持部を確実に握ることが可能である。
【０００９】
本考案の団扇は、前記把持部は手で把持しやすくする樽形状の部分と手の平のずれを防止する下端側係止部とが形成されていることを特徴とする。
本考案によれば、把持部の左右縁の上端および下端に溝が設けられており、樽形状（円弧状）に形成されている。把持部を握った際に、人差し指を把持部の上端の溝にかけ、小指を把持部の下端の溝にかけ、把持部の形状に沿って握ることができるため、把持部の長さがたとえ短くても溝によって把持部が握りやすくかつ把持部を確実に握ることが可能となる。また、手の平のずれを防止する下端側係止部（縁取り）が設けられて、手から外れにくくすることができる。
【００１０】
本考案の団扇は、前記軸片の内側面周縁には、前記補強片の外側面周縁と同じ模様および色彩である縁取りが施され、前記補強片の内側面周縁には、前記軸片の外側面周縁と同じ模様および色彩である縁取りが施され、前記軸片と前記補強片の内側面を重ね合わせた場合に前記軸片と前記補強片の周縁のずれが目立たないように形成されていることを特徴とする。
本考案によれば、把持部の軸片と補強片の内側面（接着面）の周縁に、重ね合わせた時の位置に対応する軸片や補強片の外側面周縁と同じ模様および色彩である縁取りを施すことで、軸片と補強片の周縁のずれを目立たないようにすることが可能となり、団扇の美観性を保つことが可能となる。
【００１１】
本考案の団扇は、一枚の所定の大きさの用紙に前記団扇本体と前記軸片と前記補強片とが連続的に設けられ、前記補強片が前記軸片の下端から前記折曲線を介して連設されていることを特徴とする。
折曲線が設けられる位置は折曲線によって把持部を折り曲げる必要があるため、直線状となり、形状を変更することが困難である。しかしながら、本考案によれば、前記補強片が前記軸片の下端から前記折曲線を介して連設されているため、把持部を軸片と補強片にて二重に形成したとしても、把持部の重要な形状である左右縁は溝を設ける等の様々な形状に形成することが可能となる。
【００１２】
本考案の団扇は、一枚の所定の大きさの用紙に前記団扇本体と前記軸片と前記補強片とが連続的に設けられ、前記補強片が前記軸片の左縁もしくは右縁から前記折曲線を介して連設されていることを特徴とする。
把持部の縁の形状を直線形状とする場合は、折曲線を軸片の左縁もしくは右縁に設けることも可能である。本考案によれば、前記補強片が前記軸片の左縁もしくは右縁から前記折曲線を介して連設されているため、把持部を軸片と補強片にて二重に形成したとしても、団扇の最大長さを短くすることが可能となり、団扇用の平板内で使用されない余白を最小限にすることができ、１枚の平板により多くの団扇の展開図を配置可能となる。
【００１３】
本考案の団扇は、前記軸片と前記補強片を接着するに際して、前記縁取りの内側に接着剤を施して接着することを特徴とする。
本考案によれば、前記縁取りの内側に接着剤を施して接着することにより、接着剤が余分にはみだして接着されることを防止するとともに、仮に接着剤がはみだしても、目立たないようになる。
なお、前記団扇本体にキャラクターや人等の顔の模様が印刷されてなることが好ましい。本考案によれば、平板に印刷し、切り抜き、接着することで団扇を簡単に形成することが可能であるため、団扇に様々な広告宣伝を印刷することや多種多様のデザインを施したとしても簡単かつ低コストで団扇を製造することが可能で、また把持部が二重に形成されているため、団扇本体と把持部との接続部分の強度を確保することができる。
【考案の効果】
【００１４】
本考案によれば、把持部を二重に形成することで扇ぎ面と柄との接続部分の強度を確保し、さらに把持部の周縁に溝を形成することで、把持部の長さが短くても把持部が握りやすくかつ確実に握ることが可能な団扇を提供することが可能となる。
また本考案によれば、持部の軸片と補強片の内側面の周縁に、重ね合わせた時の位置に対応する軸片や補強片の外側面周縁と同じデザインである縁取りを施すことで、軸片と補強片が正確に重なり合わない場合であっても軸片と補強片の周縁のずれを目立たないようにすることが可能となり、団扇の美観性を保つことが可能となる。
【図面の簡単な説明】
【００１５】
【図１】本考案の第１の実施形態の団扇１００（組立後）を示す斜視図である。
【図２】上記実施形態の団扇１００（組立前）を示す斜視図である。
【図３】上記実施形態の団扇１００（組立後）を示す平面図である。
【図４】上記実施形態の団扇１００（組立前）を示す展開図である。
【図５】上記実施形態の団扇１００の把持部２０の軸片２１と補強片２２の重なり状態を示す模式図である。
【図６】本考案のその他の例１の団扇２００（組立後）を示す平面図である。
【図７】本考案の第２の実施形態の団扇３００（組立後）を示す平面図である。
【図８】本考案のその他の例３の団扇４００（組立後）を示す平面図である。
【図９】本考案のその他の例３の団扇４００（組立前）を示す展開図である。
【図１０】本考案の各団扇のデザインが施された用紙を示す斜視図である。
【考案を実施するための形態】
【００１６】
以下、本考案を実施するための一形態について図面を引用しながら説明する。
【００１７】
（第１の実施の形態）
図１は、本考案の第１の実施形態の団扇１００（組立後）を示す斜視図であり、図２は、上記実施形態の団扇１００（組立前）を示す斜視図である。図３は、上記実施形態の団扇１００（組立後）を示す平面図であり、図４は、上記実施形態の団扇１００（組立前）を示す展開図である。
【００１８】
本実施の形態の団扇１００は、段ボール、厚紙、薄紙、合成紙、合成樹脂シート等の平板を折り曲げることによって形成される団扇であって、扇ぎ面である団扇本体１０と、団扇本体１０に連接された把持部２０から構成される（図１０）。
団扇本体１０は、略円形の広面形状に形成された扇ぎ面であって、団扇本体１０を揺動させることによって風を発生させる。団扇本体１０の紙面上下部（図３、図４）には把持部２０が一体的に設けられている。
把持部２０は、団扇１００を手で握るための長方形状の柄であって、団扇本体１０の下部から連続して延設された軸片２１と、軸片２１の紙面上下端に折曲線２３を介して連設された補強片２２から構成される。把持部２０は、折曲線２３によって内側に折り曲げ、軸片２１と補強片２２が接合する面である軸片２１の内側面２１ａと補強片２２の内側面２２ａに接着剤等の接着部材を塗布し、軸片２１と補強片２２とを重ね合わせて固定することで形成される。
把持部２０の紙面上左右の縁には、持ちやすさを考慮した円弧状の溝２４，２４・・・が形成され、溝２４，２４・・・により左右の縁は波形状に形成されている。実施例においては、溝２４，２４・・・は、左縁に３つ、右縁に３つ設けられ、把持部２０を握った際に溝２４，２４・・・に指が入るように設計されている。よって、把持部２０の長さがたとえ短くても溝２４，２４・・・によって把持部２０が握りやすくかつ把持部２０を確実に握ることが可能で、把持部２０を握って団扇１００を強く扇いでも把持部２０が滑って手から外れる等の問題を防止できる。
【００１９】
図５は、上記実施形態の団扇１００の把持部２０の軸片２１と補強片２２の重なり状態を示す模式図である。
軸片２１と補強片２２は略同一の形状に形成され、折曲線２３を基準に線対称の形状に形成されている。軸片２１と補強片２２の紙面上左右の縁には、円弧状の溝２４，２４・・・が形成され、溝２４，２４・・・により左右の縁は波形状に形成されている。軸片２１の外側面２１ｂと補強片２２の外側面２２ｂは把持部２０を形成した際に団扇１００のおもて面となる面であり、広告宣伝や団扇のデザインが印刷される。
軸片２１と補強片２２が接合する面である軸片２１の内側面２１ａの周縁には、補強片２２の外側面２２ｂの周縁と同じ模様および色彩である縁取り２１１ａが施され、同様に補強片２２の内側面２２ａの周縁には、軸片２１の外側面２１ｂの周縁と同じ模様および色彩である縁取り２２１ａが施されている。例えば、軸片２１と補強片２２を重ね合わせた際に重なり合う各々の位置における軸片２１の内側面２１ａと補強片２２の外側面２２ｂの周縁の色が同じとなるように、軸片２１の内側面２１ａに補強片２２の外側面２２ｂの周縁と同様の色の縁取り２１１ａが施されていることや、補強片２２の外側面２２ｂの周縁に花柄の模様が印刷されている場合は、軸片２１の内側面２１ａにも同様の花柄の縁取り２１１ａが施されている等である。このように軸片２１の内側面２１ａに外側面２２ｂの周縁と同様のデザインの縁取り２１１ａを設けることで、製造上の精度のばらつき等により軸片２１と補強片２２のサイズが異なって重ね合わせた際に正確に軸片２１と補強片２２の周縁が合わず、軸片２１の内側面２１ａが外部から視認可能な状態となったとしても、軸片２１と補強片２２の周縁のずれを目立たないようにすることができる。補強片２２の内側面２２ａの周縁に施された縁取り２２１ａも同様に、軸片２１の外側面２１ｂの周縁と同じデザインが施されており、外部から視認可能な団扇１００の表面および裏面ともに軸片２１と補強片２２の周縁の美観性を保つことが可能となる。前記縁取り２２１ａのうち下端側の縁取り部は縁取り２２１ａは手の平のずれを防止する下端側係止部となっている。前記軸片２１と前記補強片２２を接着するに際しては、前記縁取り２２１ａの内側に接着剤を施して接着することが、接着剤が余分にはみだして接着されることを防止するとともに、仮に接着剤がはみだしても、目立たないように工夫されている。
【００２０】
次に団扇１００の製造方法を説明する。
最初に、厚紙等の平板に印刷機により宣伝広告等の印刷を施す（ステップ１：印刷工程）。
平板の規定サイズに収まるように平板に団扇１００の展開図を複数レイアウトし印刷する。
次に、印刷した団扇用の平板を切り抜く（ステップ２：切抜工程）。
そして、把持部２０を折曲線２３に沿って折り曲げて軸片２１と補強片２２の内側面を接着剤等の接着部材で接着し、把持部２０を二重に形成する（ステップ３：接着工程）。
【００２１】
このように、平板に印刷し、切り抜き、接着することで団扇１００を形成することが可能であるため、簡単に団扇１００が製造することが可能で、また把持部２０が二重に形成されているため、団扇本体１０と把持部２０との接続部分の強度を確保することができる。
さらに把持部２０の左右縁に溝２４，２４・・・を形成することで、把持部２０の長さがたとえ短くても溝２４，２４・・・によって把持部２０が握りやすくかつ把持部２０を確実に握ることが可能となる。
そして、軸片２１の内側面２１ａおよび補強片２２の内側面２２ａに縁取り２１１ａ，２２１ａを施すことで、軸片２１と補強片２２の位置ずれを目立たないようにすることが可能で、周縁の美観性を保つことが可能となる。
【００２２】
（第２の実施の形態）
図７は、本考案の第２の実施形態の団扇３００（組立後）を示す平面図である。
第１の実施形態の団扇１００は、左右の縁に溝２４，２４・・・が形成され波形状に形成されていたが、第２の実施形態の団扇３００は把持部３２０が樽形状に形成されおり、その他の構成は、第１の実施の形態と同様であるため、同一部分に同一符号を付して重複する説明を省略する。
本実施の形態の団扇３００は、扇ぎ面である団扇本体１０と、団扇本体１０に連接された把持部３２０から構成される。
把持部３２０の紙面上左右の縁には、円弧状の溝３４，３４が把持部３２０の上端および下端に設けられている。また溝３４，３４の間は溝から円弧状にゆるやかに突出した突部３５が形成されており、把持部３２０は上下方向の中心軸Ａを基準として線対称の形状をなし、樽形状に形成されている。
このように把持部３２０の上下端に溝３４，３４が設けられているため、把持部３２０を握った際に、人差し指を把持部３２０の上端の溝３４にかけ、小指を把持部３２０の下端の溝３４にかけ、人差し指と小指の間の指は突部３５の形状に沿って握ることができる。よって、把持部３２０の長さがたとえ短くても溝３４，３４および突部３５によって把持部３２０が握りやすくかつ把持部３２０を確実に握ることが可能となる。
【００２３】
（その他の例）
図６は、本考案のその他の例１の団扇２００（組立後）を示す平面図であり、図８は、本考案のその他の例３の団扇４００（組立後）を示す平面図である。図９は、本考案のその他の例３の団扇４００（組立前）を示す展開図である。
第１の実施形態においては、把持部２０の紙面上左右の縁に円弧状の溝２４，２４・・・が形成されていたが、把持部２０の左右どちらかの縁のみ溝２４，２４・・・が設けられていてもよい（図６）。
また、団扇本体４１０をキャラクターや人等の顔を模倣した形状およびデザインとし、把持部４２０は首を模倣した形状およびデザインとしてもよい（図８）。その場合は、補強片４２２が軸片４２１の左縁もしくは右縁から折曲線４２３を介して連設される。把持部４２０は、折曲線４２３によって内側に折り曲げ、軸片４２１と補強片４２２が接合する面である軸片４２１の内側面４２１ａと補強片４２２の内側面４２２ａに接着剤等の接着部材を塗布し、軸片４２１と補強片４２２とを重ね合わせて固定することで形成される。軸片４２１の内側面４２１ａの周縁には、補強片４２２の外側面４２２ｂの周縁と同じ模様および色彩である縁取り４２１１ａが施され、同様に補強片４２２の内側面４２２ａの周縁には、軸片４２１の外側面４２１ｂの周縁と同じ模様および色彩である縁取り４２２１ａが施される。
【符号の説明】
【００２４】
１００，２００，３００，４００                団扇、
１０，４１０                                  団扇本体、
２０，３２０，４２０                          把持部、
２１，４２１                                  軸片、
２１ａ，２２ａ，４２１ａ，４２２ａ            内側面、
２１ｂ，２２ｂ                                外側面、
２１１ａ，２２１ａ，４２１１ａ，４２２１ａ    縁取り、
２２１ａ，                                    下端側係止部（縁取り）、
２２，４２２                                  補強片、
２３，４２３                                  折曲線、
２４，３４                                    溝、
３５                                          突部
【図１】
0003211506.tif 000003
【図２】
0003211506.tif 000004
【図３】
0003211506.tif 000005
【図４】
0003211506.tif 000006
【図５】
0003211506.tif 000007
【図６】
0003211506.tif 000008
【図７】
0003211506.tif 000009
【図８】
0003211506.tif 000010
【図９】
0003211506.tif 000011
【図１０】
0003211506.tif 000012
【手続補正書】
【提出日】平成29年5月18日(2017.5.18)
【手続補正１】
【補正対象書類名】実用新案登録請求の範囲
【補正対象項目名】全文
【補正方法】変更
【補正の内容】
【実用新案登録請求の範囲】
【請求項１】
扇ぎ面である団扇本体と把持部を備えた団扇であって、前記把持部は、前記団扇本体から連続して延設された軸片と前記軸片に折曲線を介して連設された補強片とを重ね合わせることで形成され、前記把持部の周縁には持ちやすさを考慮した溝が形成されていることを特徴とする団扇。
【請求項２】
前記把持部の周縁は手の複数の指が係止する波形状に形成されていることを特徴とする請求項１記載の団扇。
【請求項３】
前記把持部は手で把持しやすくする樽形状の部分と手の平のずれを防止する下端側係止部とが形成されていることを特徴とする請求項１記載の団扇。
【請求項４】
前記軸片の内側面周縁には、前記補強片の外側面周縁と同じ模様および色彩である縁取りが施され、前記補強片の内側面周縁には、前記軸片の外側面周縁と同じ模様および色彩である縁取りが施され、前記軸片と前記補強片の内側面を重ね合わせた場合に前記軸片と前記補強片の周縁のずれが目立たないように形成されていることを特徴とする請求項１から３のいずれか一項記載の団扇。
【請求項５】
一枚の所定の大きさの用紙に前記団扇本体と前記軸片と前記補強片とが連続的に設けられ、前記補強片は、前記軸片の下端から前記折曲線を介して連設されていることを特徴とする請求項１から４のいずれか一項記載の団扇。
【請求項６】
一枚の所定の大きさの用紙に前記団扇本体と前記軸片と前記補強片とが連続的に設けられ、前記補強片は、前記軸片の左縁もしくは右縁から前記折曲線を介して連設されていることを特徴とする請求項１から４のいずれか一項記載の団扇。
【請求項７】
前記軸片と前記補強片を接着するに際して、前記縁取りの内側に接着剤を施して接着することを特徴とする請求項４記載の団扇。